(57)【要約】【課題】機器の起動時間を短縮する起動制御装置を提供すること。【解決手段】機械的動作を行う機器と接続され、機器の機械的動作を制御するエンジン制御部２０と、エンジン制御部２０との間の通信を確立し、確立された通信を用いて機器に関する処理を制御するコントローラ３１と、エンジン制御部２０と接続され、機器の起動状態に関する第１の情報をエンジン制御部２０に送信する復帰信号制御部３５と、を備え、エンジン制御部２０は、コントローラ３１により通信が確立される前に情報送信手段から受信した第１の情報に基づいて機器の起動を制御すること、を特徴とする。【選択図】        図１
2007301765.tif 000002
【特許請求の範囲】
【請求項１】
機械的動作を行う機器と接続され、前記機器の機械的動作を制御する機器制御手段と、
前記機器制御手段との間の通信を確立し、確立された前記通信を用いて前記機器に関する処理を制御する処理制御手段と、
前記機器制御手段と接続され、前記機器の起動状態に関する第１の情報を前記機器制御手段に送信する情報送信手段と、を備え、
前記機器制御手段は、前記処理制御手段により前記通信が確立される前に前記情報送信手段から受信した前記第１の情報に基づいて前記機器の起動を制御すること、
を特徴とする起動制御装置。
【請求項２】
前記情報送信手段は、電源オンによる起動が指示されたこと、または待機時に消費電力を通常より抑える省エネルギーモードからの復帰が指示されたことを表す前記第１の情報を前記機器制御手段に送信し、
前記機器制御手段は、前記情報送信手段から電源オンによる起動が指示されたことを表す前記第１の情報を受信した場合に、前記機器の起動を行うこと、
を特徴とする請求項１に記載の起動制御装置。
【請求項３】
前記機器制御手段は、前記情報送信手段から前記省エネルギーモードからの復帰が指示されたことを表す前記第１の情報を受信した場合、前記機器の起動を行わないこと、
を特徴とする請求項２に記載の起動制御装置。
【請求項４】
前記情報送信手段は、機械的動作を行う前記機器の起動が必要であること、または機械的動作を行う前記機器の起動が必要でないことを表す前記第１の情報を前記機器制御手段に送信し、
前記機器制御手段は、前記情報送信手段から機械的動作を行う前記機器の起動が必要であることを表す前記第１の情報を受信した場合に、前記機器の機械的動作を含む起動を行うこと、
を特徴とする請求項１に記載の起動制御装置。
【請求項５】
前記情報送信手段は、機械的動作を行う前記機器が動作していなかった時間が予め定められた閾値より大きいこと、または前記時間が前記閾値より大きくないことを表す前記第１の情報を前記機器制御手段に送信し、
前記機器制御手段は、前記情報送信手段から前記時間が前記閾値より大きいことを表す前記第１の情報を受信した場合に、前記時間が前記閾値より大きい場合に実行する処理を含む起動を行うこと、
を特徴とする請求項１に記載の起動制御装置。
【請求項６】
前記処理制御手段は、さらに確立された前記通信を用いて前記機器の起動を要求する第２の情報を前記機器制御手段に送信し、
前記機器制御手段は、前記処理制御手段から送信された前記機器の起動を要求する前記第２の情報に基づいて起動を制御すること、
を特徴とする請求項１に記載の起動制御装置。
【請求項７】
前記機器制御手段は、前記情報送信手段から送信された前記第１の情報を受信後、前記処理制御手段から送信された前記機器の起動を要求する前記第２の情報を受信した場合に、前記機器の起動を要求する前記第２の情報に基づいて起動を制御すること、
を特徴とする請求項６に記載の起動制御装置。
【請求項８】
前記情報送信手段は、前記第１の情報を送信後、前記機器の起動状態に関する情報であって、前記第１の情報と異なる第３の情報をさらに前記機器制御手段に送信し、
前記機器制御手段は、前記情報送信手段から送信された前記第１の情報を受信後、さらに前記情報送信手段から送信された前記第３の情報を受信した場合に、後に受信した前記第３の情報に基づいて起動を制御すること、
を特徴とする請求項１に記載の起動制御装置。
【請求項９】
前記情報送信手段は、信号線で前記機器制御手段と接続され、電気信号の強度によって前記機器の起動状態を表す前記第１の情報を、前記信号線を介して前記機器制御手段に送信すること、
を特徴とする請求項１に記載の起動制御装置。
【請求項１０】
前記情報送信手段は、複数の信号線で情報を送信するバスで前記機器制御手段と接続され、前記第１の情報を前記バスを介して前記機器制御手段に送信すること、
を特徴とする請求項１に記載の起動制御装置。
【請求項１１】
操作手段から入力された、前記第１の情報および前記第２の情報のいずれに従って起動を制御するかの指示を受付ける受付手段をさらに備え、
前記機器制御手段は、前記受付手段により受付けられた前記指示に基づき、指示された前記第１の情報または前記第２の情報に従って起動を制御すること、
を特徴とする請求項１に記載の起動制御装置。
【請求項１２】
受信手段によりネットワークを介して受信された、前記第１の情報および前記第２の情報のいずれに従って起動を制御するかの指示を受付ける受付手段をさらに備え、
前記機器制御手段は、前記受付手段により受付けられた前記指示に基づき、指示された前記第１の情報または前記第２の情報に従って起動を制御すること、
を特徴とする請求項１に記載の起動制御装置。
【請求項１３】
像担持体上に画像を形成する作像手段と、
前記作像手段で形成された画像を記録紙に定着する定着手段と、
前記作像手段および前記定着手段の起動を制御する起動制御手段と、を備え、
前記起動制御手段は、
前記作像手段および前記定着手段の機械的動作を制御する機器制御手段と、
前記機器制御手段との間の通信を確立し、確立された前記通信を用いて前記作像手段および前記定着手段に関する処理を制御する処理制御手段と、
前記機器制御手段と接続され、前記作像手段および前記定着手段の起動状態に関する第１の情報を前記機器制御手段に送信する情報送信手段と、を備え、
前記機器制御手段は、前記処理制御手段により前記通信が確立される前に前記情報送信手段から受信した前記第１の情報に基づいて前記作像手段および前記定着手段の起動を制御すること、
を特徴とする画像形成装置。
【請求項１４】
前記情報送信手段は、電源オンによる起動が指示されたこと、または待機時に消費電力を通常より抑える省エネルギーモードからの復帰が指示されたことを表す前記第１の情報を前記機器制御手段に送信し、
前記機器制御手段は、前記情報送信手段から電源オンによる起動が指示されたことを表す前記第１の情報を受信した場合に、前記定着手段の起動を行うこと、
を特徴とする請求項１３に記載の画像形成装置。
【請求項１５】
前記機器制御手段は、前記情報送信手段から前記省エネルギーモードからの復帰が指示されたことを表す前記第１の情報を受信した場合、前記定着手段の起動を行わないこと、
を特徴とする請求項１４に記載の画像形成装置。
【請求項１６】
前記情報送信手段は、機械的動作を行う前記作像手段の起動が必要であること、または機械的動作を行う前記作像手段の起動が必要でないことを表す前記第１の情報を前記機器制御手段に送信し、
前記機器制御手段は、前記情報送信手段から機械的動作を行う前記作像手段の起動が必要であることを表す前記第１の情報を受信した場合に、前記作像手段の機械的動作を含む起動を行うこと、
を特徴とする請求項１３に記載の画像形成装置。
【請求項１７】
前記作像手段が形成する画像の調整を行う画像調整手段をさらに備えたこと、
を特徴とする請求項１６に記載の画像形成装置。
【請求項１８】
前記処理制御手段は、さらに確立された前記通信を用いて前記作像手段および前記定着手段の起動を要求する第２の情報を前記機器制御手段に送信し、
前記画像調整手段は、前記処理制御手段から送信された前記第２の情報を受信した後に、前記作像手段が形成する画像の調整を行うこと、
を特徴とする請求項１７に記載の画像形成装置。
【請求項１９】
前記情報送信手段は、機械的動作を行う前記作像手段が動作していなかった時間が予め定められた閾値より大きいこと、または前記時間が前記閾値より大きくないことを表す前記第１の情報を前記機器制御手段に送信し、
前記画像調整手段は、前記情報送信手段から前記時間が前記閾値より大きいことを表す前記第１の情報を受信した場合に、前記作像手段が形成する画像の調整を行うこと、
を特徴とする請求項１７に記載の画像形成装置。
【請求項２０】
機械的動作を行う機器と接続され、前記機器の機械的動作を制御する機器制御手段と、前記機器制御手段との間の通信を確立し、確立された前記通信を用いて前記機器に関する処理を制御する処理制御手段と、前記機器制御手段と接続され、情報を前記機器制御手段に送信する情報送信手段と、を含む起動制御装置における起動制御方法であって、
前記情報送信手段によって、前記機器の起動状態に関する第１の情報を前記機器制御手段に送信し、
前記機器制御手段によって、前記処理制御手段により前記通信が確立される前に前記情報送信手段から受信した前記第１の情報に基づいて前記機器の起動を制御すること、
を備えたことを特徴とする起動制御方法。
【発明の詳細な説明】
【技術分野】
【０００１】
この発明は、接続された機器または内部デバイスの起動制御を行う起動制御装置、起動制御方法および画像形成装置に関するものである。
【背景技術】
【０００２】
近年、プリンタ、コピー、ファクシミリ、スキャナなどの各装置の機能を１つの筐体内に収納した、いわゆるＭＦＰ（Multi Function Peripheral）と呼ばれる画像形成装置（以下、複合機という。）が知られている。この複合機は、１つの筐体内に表示部、印刷部および撮像部などを設けるとともに、プリンタ、コピーおよびファクシミリ装置にそれぞれ対応したソフトウェアを設け、これらのソフトウェアを切り替えることによって、当該装置をプリンタ、コピー、スキャナまたはファクシミリ装置として動作させるものである。
【０００３】
このような従来の複合機では、画像形成動作中の消費電力の低減とともに、画像形成動作を実行していない待機状態における消費電力の低減が求められている。これに対応するため、従来の複合機では、装置内のデバイスをいくつかのブロックに分け、必要最低限のブロック以外については電源供給を停止する、いわゆる「省エネルギーモード」を設けることにより消費電力の低減を図っている。
【０００４】
例えば、特許文献１では、画像処理アプリケーションや動作モードの実行履歴に関する情報と、読み取りや印刷などの各デバイスに関する情報とを取得して記憶しておき、これらの情報と、各アプリケーションの動作モードと、複数の各デバイスの省エネルギー制御の必要性との関連を示す情報とを参照して、デバイスの省エネルギー制御を行う技術が提案されている。
【０００５】
一方、従来の複合機では、省エネルギーモードから通常動作モードへの復帰の際、および複合機の主電源をオンにしたときの起動の際の処理時間を短縮することにより、ユーザの待ち時間を低減することも求められている。
【０００６】
これに対し、特許文献２では、表示装置への印刷ダイアログの表示処理を行うときに、通信装置および信号伝送ラインを介してプリンタにスリープモード解除要求信号を送信し、当該信号に応じてスリープモード解除処理を開始する技術が提案されている。これにより、省エネルギーモード（スリープモード）から通常動作モードへ移行する時間を短縮してユーザの待ち時間を低減することができる。
【０００７】
【特許文献１】特開２００１−２８５５４３号公報
【特許文献２】特開２００３−２９９５４号公報
【発明の開示】
【発明が解決しようとする課題】
【０００８】
しかしながら、上記のような従来の技術では、主電源のオンにより装置が起動された場合、各デバイス（エンジン）の起動の前に、エンジンの起動を制御するコントローラの起動を待つ必要があったため、装置全体の起動時間がコントローラの起動時間に依存するという問題があった。
【０００９】
なお、省エネルギーモードから復帰する場合は、復帰を制御するコントローラは既に起動されているため、原則として上記のような問題は生じない。
【００１０】
本発明は、上記に鑑みてなされたものであって、コントローラの起動をまたずにエンジンの起動を開始することにより、接続された機器または自装置内の機器の起動時間を短縮することができる起動制御装置、起動制御方法および画像形成装置を提供することを目的とする。
【課題を解決するための手段】
【００１１】
上述した課題を解決し、目的を達成するために、請求項１にかかる発明は、機械的動作を行う機器と接続され、前記機器の機械的動作を制御する機器制御手段と、前記機器制御手段との間の通信を確立し、確立された前記通信を用いて前記機器に関する処理を制御する処理制御手段と、前記機器制御手段と接続され、前記機器の起動状態に関する第１の情報を前記機器制御手段に送信する情報送信手段と、を備え、前記機器制御手段は、前記処理制御手段により前記通信が確立される前に前記情報送信手段から受信した前記第１の情報に基づいて前記機器の起動を制御すること、を特徴とする。
【００１２】
また、請求項２にかかる発明は、請求項１にかかる発明において、前記情報送信手段は、電源オンによる起動が指示されたこと、または待機時に消費電力を通常より抑える省エネルギーモードからの復帰が指示されたことを表す前記第１の情報を前記機器制御手段に送信し、前記機器制御手段は、前記情報送信手段から電源オンによる起動が指示されたことを表す前記第１の情報を受信した場合に、前記機器の起動を行うこと、を特徴とする。
【００１３】
また、請求項３にかかる発明は、請求項２にかかる発明において、前記機器制御手段は、前記情報送信手段から前記省エネルギーモードからの復帰が指示されたことを表す前記第１の情報を受信した場合、前記機器の起動を行わないこと、を特徴とする。
【００１４】
また、請求項４にかかる発明は、請求項１にかかる発明において、前記情報送信手段は、機械的動作を行う前記機器の起動が必要であること、または機械的動作を行う前記機器の起動が必要でないことを表す前記第１の情報を前記機器制御手段に送信し、前記機器制御手段は、前記情報送信手段から機械的動作を行う前記機器の起動が必要であることを表す前記第１の情報を受信した場合に、前記機器の機械的動作を含む起動を行うこと、を特徴とする。
【００１５】
また、請求項５にかかる発明は、請求項１にかかる発明において、前記情報送信手段は、機械的動作を行う前記機器が動作していなかった時間が予め定められた閾値より大きいこと、または前記時間が前記閾値より大きくないことを表す前記第１の情報を前記機器制御手段に送信し、前記機器制御手段は、前記情報送信手段から前記時間が前記閾値より大きいことを表す前記第１の情報を受信した場合に、前記時間が前記閾値より大きい場合に実行する処理を含む起動を行うこと、を特徴とする。
【００１６】
また、請求項６にかかる発明は、請求項１にかかる発明において、前記処理制御手段は、さらに確立された前記通信を用いて前記機器の起動を要求する第２の情報を前記機器制御手段に送信し、前記機器制御手段は、前記処理制御手段から送信された前記機器の起動を要求する前記第２の情報に基づいて起動を制御すること、を特徴とする。
【００１７】
また、請求項７にかかる発明は、請求項６にかかる発明において、前記機器制御手段は、前記情報送信手段から送信された前記第１の情報を受信後、前記処理制御手段から送信された前記機器の起動を要求する前記第２の情報を受信した場合に、前記機器の起動を要求する前記第２の情報に基づいて起動を制御すること、を特徴とする。
【００１８】
また、請求項８にかかる発明は、請求項１にかかる発明において、前記情報送信手段は、前記第１の情報を送信後、前記機器の起動状態に関する情報であって、前記第１の情報と異なる第３の情報をさらに前記機器制御手段に送信し、前記機器制御手段は、前記情報送信手段から送信された前記第１の情報を受信後、さらに前記情報送信手段から送信された前記第３の情報を受信した場合に、後に受信した前記第３の情報に基づいて起動を制御すること、を特徴とする。
【００１９】
また、請求項９にかかる発明は、請求項１にかかる発明において、前記情報送信手段は、信号線で前記機器制御手段と接続され、電気信号の強度によって前記機器の起動状態を表す前記第１の情報を、前記信号線を介して前記機器制御手段に送信すること、を特徴とする。
【００２０】
また、請求項１０にかかる発明は、請求項１にかかる発明において、前記情報送信手段は、複数の信号線で情報を送信するバスで前記機器制御手段と接続され、前記第１の情報を前記バスを介して前記機器制御手段に送信すること、を特徴とする。
【００２１】
また、請求項１１にかかる発明は、請求項１にかかる発明において、操作手段から入力された、前記第１の情報および前記第２の情報のいずれに従って起動を制御するかの指示を受付ける受付手段をさらに備え、前記機器制御手段は、前記受付手段により受付けられた前記指示に基づき、指示された前記第１の情報または前記第２の情報に従って起動を制御すること、を特徴とする。
【００２２】
また、請求項１２にかかる発明は、請求項１にかかる発明において、受信手段によりネットワークを介して受信された、前記第１の情報および前記第２の情報のいずれに従って起動を制御するかの指示を受付ける受付手段をさらに備え、前記機器制御手段は、前記受付手段により受付けられた前記指示に基づき、指示された前記第１の情報または前記第２の情報に従って起動を制御すること、を特徴とする。
【００２３】
また、請求項１３にかかる発明は、像担持体上に画像を形成する作像手段と、前記作像手段で形成された画像を記録紙に定着する定着手段と、前記作像手段および前記定着手段の起動を制御する起動制御手段と、を備え、前記起動制御手段は、前記作像手段および前記定着手段の機械的動作を制御する機器制御手段と、前記機器制御手段との間の通信を確立し、確立された前記通信を用いて前記作像手段および前記定着手段に関する処理を制御する処理制御手段と、前記機器制御手段と接続され、前記作像手段および前記定着手段の起動状態に関する第１の情報を前記機器制御手段に送信する情報送信手段と、を備え、前記機器制御手段は、前記処理制御手段により前記通信が確立される前に前記情報送信手段から受信した前記第１の情報に基づいて前記作像手段および前記定着手段の起動を制御すること、を特徴とする。
【００２４】
また、請求項１４にかかる発明は、請求項１３にかかる発明において、前記情報送信手段は、電源オンによる起動が指示されたこと、または待機時に消費電力を通常より抑える省エネルギーモードからの復帰が指示されたことを表す前記第１の情報を前記機器制御手段に送信し、前記機器制御手段は、前記情報送信手段から電源オンによる起動が指示されたことを表す前記第１の情報を受信した場合に、前記定着手段の起動を行うこと、を特徴とする。
【００２５】
また、請求項１５にかかる発明は、請求項１４にかかる発明において、前記機器制御手段は、前記情報送信手段から前記省エネルギーモードからの復帰が指示されたことを表す前記第１の情報を受信した場合、前記定着手段の起動を行わないこと、を特徴とする。
【００２６】
また、請求項１６にかかる発明は、請求項１３にかかる発明において、前記情報送信手段は、機械的動作を行う前記作像手段の起動が必要であること、または機械的動作を行う前記作像手段の起動が必要でないことを表す前記第１の情報を前記機器制御手段に送信し、前記機器制御手段は、前記情報送信手段から機械的動作を行う前記作像手段の起動が必要であることを表す前記第１の情報を受信した場合に、前記作像手段の機械的動作を含む起動を行うこと、を特徴とする。
【００２７】
また、請求項１７にかかる発明は、請求項１６にかかる発明において、前記作像手段が形成する画像の調整を行う画像調整手段をさらに備えたこと、を特徴とする。
【００２８】
また、請求項１８にかかる発明は、請求項１７にかかる発明において、前記処理制御手段は、さらに確立された前記通信を用いて前記作像手段および前記定着手段の起動を要求する第２の情報を前記機器制御手段に送信し、前記画像調整手段は、前記処理制御手段から送信された前記第２の情報を受信した後に、前記作像手段が形成する画像の調整を行うこと、を特徴とする。
【００２９】
また、請求項１９にかかる発明は、請求項１７にかかる発明において、前記情報送信手段は、機械的動作を行う前記作像手段が動作していなかった時間が予め定められた閾値より大きいこと、または前記時間が前記閾値より大きくないことを表す前記第１の情報を前記機器制御手段に送信し、前記画像調整手段は、前記情報送信手段から前記時間が前記閾値より大きいことを表す前記第１の情報を受信した場合に、前記作像手段が形成する画像の調整を行うこと、を特徴とする。
【００３０】
また、請求項２０にかかる発明は、機械的動作を行う機器と接続され、前記機器の機械的動作を制御する機器制御手段と、前記機器制御手段との間の通信を確立し、確立された前記通信を用いて前記機器に関する処理を制御する処理制御手段と、前記機器制御手段と接続され、情報を前記機器制御手段に送信する情報送信手段と、を含む起動制御装置における起動制御方法であって、前記情報送信手段によって、前記機器の起動状態に関する第１の情報を前記機器制御手段に送信し、前記機器制御手段によって、前記処理制御手段により前記通信が確立される前に前記情報送信手段から受信した前記第１の情報に基づいて前記機器の起動を制御すること、を備えたことを特徴とする。
【発明の効果】
【００３１】
請求項１にかかる発明によれば、処理の制御を行うための通信の確立前に起動状態に関する第１の情報を送信し、第１の情報に基づいて機器の起動を制御できるため、接続された機器または自装置内の機器の起動時間を短縮することができるという効果を奏する。
【００３２】
また、請求項２にかかる発明によれば、電源オンによる起動か、省エネルギーモードからの復帰かに応じた第１の情報に基づいて機器の起動を制御できるため、起動状態に応じて適切に機器の起動を制御し、起動時間を短縮することができるという効果を奏する。
【００３３】
また、請求項３にかかる発明によれば、省エネルギーモードからの復帰を表す第１の情報を受信した場合は機器の起動を行わないため、起動状態に応じて適切に機器の起動を制御できるという効果を奏する。
【００３４】
また、請求項４にかかる発明によれば、機械的動作を行う機器の起動が必要であるか否かに応じた第１の情報に基づいて機器の起動を制御できるため、起動状態に応じて適切に機器の起動を制御し、起動時間を短縮することができるという効果を奏する。
【００３５】
また、請求項５にかかる発明によれば、機械的動作を行う機器が動作していなかった時間が予め定められた閾値より大きいか否かに応じた第１の情報に基づいて機器の起動を制御できるため、起動状態に応じて適切に機器の起動を制御し、起動時間を短縮することができるという効果を奏する。
【００３６】
また、請求項６にかかる発明によれば、確立された通信を用いて機器の起動を要求する第２の情報に基づいて機器の起動を制御できるため、状況の変化に応じて適切に機器の起動を制御できるという効果を奏する。
【００３７】
また、請求項７にかかる発明によれば、第１の情報受信後に受信された第２の情報に基づいて機器の起動を制御できるため、第１の情報通知後に生じた状況の変化に応じて適切に機器の起動を制御できるという効果を奏する。
【００３８】
また、請求項８にかかる発明によれば、第１の情報受信後に受信された機器の起動状態に関する第３の情報に基づいて機器の起動を制御できるため、状況の変化に応じて適切に機器の起動を制御できるという効果を奏する。
【００３９】
また、請求項９にかかる発明によれば、電気信号の強度によって機器の起動状態を表す第１の情報を信号線を介して送信するため、簡単な構成で早期に第１の情報を通知可能となり、機器の起動時間を短縮することができるという効果を奏する。
【００４０】
また、請求項１０にかかる発明によれば、第１の情報を複数の信号線からなるバスを介して送信するため、汎用的な構成で機器の起動時間の短縮を実現できるという効果を奏する。
【００４１】
また、請求項１１にかかる発明によれば、ユーザによる第１の情報と第２の情報のいずれを優先するかの指示を受付け、受付けた指示に従っていずれかの情報に基づいて機器の起動制御を実行できるため、ユーザに応じた適切な起動制御を実行できるという効果を奏する。
【００４２】
また、請求項１２にかかる発明によれば、ユーザによる第１の情報と第２の情報のいずれを優先するかの指示をネットワークを介して受付け、受付けた指示に従っていずれかの情報に基づいて機器の起動制御を実行できるため、ユーザに応じた適切な起動制御を実行できるという効果を奏する。
【００４３】
また、請求項１３にかかる発明によれば、処理の制御を行うための通信の確立前に起動状態に関する第１の情報を送信し、第１の情報に基づいて画像形成処理で用いる機器の起動を制御できるため、機器の起動時間を短縮することができるという効果を奏する。
【００４４】
また、請求項１４にかかる発明によれば、電源オンによる起動か、省エネルギーモードからの復帰かに応じた第１の情報に基づいて機器の起動を制御できるため、起動状態に応じて適切に機器の起動を制御し、起動時間を短縮することができるという効果を奏する。
【００４５】
また、請求項１５にかかる発明によれば、省エネルギーモードからの復帰を表す第１の情報を受信した場合は機器の起動を行わないため、起動状態に応じて適切に機器の起動を制御できるという効果を奏する。
【００４６】
また、請求項１６にかかる発明によれば、機械的動作を行う機器の起動が必要であるか否かに応じた第１の情報に基づいて機器の起動を制御できるため、起動状態に応じて適切に機器の起動を制御し、起動時間を短縮することができるという効果を奏する。
【００４７】
また、請求項１７にかかる発明によれば、画像の調整を行うことができるため、形成される画像の質を高めることができるという効果を奏する。
【００４８】
また、請求項１８にかかる発明によれば、確立された通信を用いて機器の起動を要求する第２の情報に基づいて画像調整を実行できるため、状況の変化に応じて適切に機器の起動を制御できるという効果を奏する。
【００４９】
また、請求項１９にかかる発明によれば、機械的動作を行う機器が動作していなかった時間が予め定められた閾値より大きいか否かに応じた第１の情報に基づいて画像調整を実行できるため、起動状態に応じて適切に機器の起動を制御し、起動時間を短縮することができるという効果を奏する。
【００５０】
また、請求項２０にかかる発明によれば、処理の制御を行うための通信の確立前に起動状態に関する第１の情報を送信し、第１の情報に基づいて機器の起動を制御できるため、接続された機器または自装置内の機器の起動時間を短縮することができるという効果を奏する。
【発明を実施するための最良の形態】
【００５１】
以下に添付図面を参照して、この発明にかかる起動制御装置の最良な実施の形態を詳細に説明する。なお、以下では、像担持体上に画像を形成する作像部、形成された画像を記録紙に定着する定着部などのデバイスを備えた画像形成装置に適用した例について説明する。
【００５２】
（第１の実施の形態）
第１の実施の形態にかかる画像形成装置は、主電源オンによる起動か、省エネルギーモードからの復帰かを表す電気信号を、コントローラから送信される起動要求の前にエンジン制御部に送信し、当該電気信号に従ってエンジンの起動を制御するものである。
【００５３】
図１は、第１の実施の形態にかかる画像形成装置１００の構成を示すブロック図である。同図に示すように、画像形成装置１００は、操作部１０と、センサ１１と、負荷１２と、作像部１３と、定着部１４と、起動制御部１１０と、を備えている。
【００５４】
操作部１０は、各種スイッチの操作や、各種操作画面上での入力の受付けを行うユーザインターフェースである。例えば、操作部１０は、スイッチによる主電源のオン／オフや、プリント、ＦＡＸ送信などを指示するボタンのクリックなどを受付ける。
【００５５】
センサ１１は、搬送路の異常を確認する搬送路センサ、ユニット接続状況を確認するユニット接続検知センサ、ドアの開閉状況を確認するドアセンサなどの画像形成装置１００の各種センサである。
【００５６】
負荷１２は、後述するＩＯ制御部２５が、センサ１１の入力を参照して制御を行う制御対象であるモーター、ソレノイド等を総称したものである。
【００５７】
作像部１３は、像担持体である感光ドラム上に画像を形成するものであり、当該感光ドラム、帯電部、現像ユニット、転写部、分離部を含んでいる。
【００５８】
定着部１４は、作像部１３で形成された画像を記録紙に定着するものであり、定着ローラ、加圧ローラを含んでいる。
【００５９】
作像部１３および定着部１４が、後述するエンジン制御部２０により動作が制御されるエンジンに相当する。なお、エンジンは、作像部１３、定着部１４に限られるものではなく、スキャナ（図示せず）、ファックスユニット（図示せず）などの画像形成で用いられるあらゆる機器が該当しうる。
【００６０】
起動制御部１１０は、作像部１３、定着部１４などの画像処理に関する機械的動作を行うエンジンの起動を制御するものである。起動制御部１１０は、エンジン制御部２０と、コントローラ３１とＨＤＤ（Hard Disk Drive）３２と、ＮＣＵ（ネットワークコントロールユニット）３３と、ＦＣＵ（ファクシミリコントロールユニット）３４と、復帰信号制御部３５と、画像処理部４１と、画像用ＲＡＭ（Random Access Memory）４２と、読取処理部４３と、書込処理部４４と、を備えている。
【００６１】
なお、起動制御部１１０の各構成部を単一の基板上に備えるように構成してもよいし、各構成部を複数の基板上に分けるように構成してもよい。例えば、ＣＰＵ（Central Processing Unit）２１と、コントローラ３１と、復帰信号制御部３５とをそれぞれ独立したプロセッサとし、それぞれ別の基板上に備えるように構成することができる。
【００６２】
エンジン制御部２０は、作像部１３、定着部１４などの画像処理に関する機械的動作を行うエンジンを制御するものであり、ＣＰＵ２１と、ＲＯＭ（Read Only Memory）２２と、ＲＡＭ２３と、不揮発ＲＡＭ２４と、ＩＯ制御部２５と、を備えている。
【００６３】
ＣＰＵ２１は、エンジン制御部２０におけるエンジン制御処理を実行するプロセッサである。ＲＯＭ２２は、ＣＰＵ２１を動作させるためのプログラムを格納するものである。ＲＡＭ２３は、プログラム用のデータを一時的に格納するものである。不揮発ＲＡＭ２４は、制御やタイミングなどに関する調整値、および登録した複写モードなどの設定値を格納するものである。ＩＯ制御部２５は、センサ１１の入力を元に、負荷１２などの制御を行うものである。
【００６４】
コントローラ３１は、画像形成装置１００全体の制御と、描画、通信、操作部１０からの入力を制御する制御部である。コントローラ３１は、エンジン制御部２０との間で確立された通信を用いて画像処理に関する各種処理を制御する。
【００６５】
画像形成装置１００の主電源がオンにされた場合は、エンジン制御部２０とコントローラ３１の双方の初期化処理が終了することで、コピーなどの画像形成処理が可能なレディ状態となる。この初期化処理には、コントローラ３１とＣＰＵ２１との間のバス（データバス、アドレスバス）を介した通信の確立処理が含まれる。通信の確立後、コントローラ３１およびＣＰＵ２１は、エンジン起動要求コマンドなどの各種コマンドによる制御処理が可能となる。
【００６６】
ＨＤＤ３２は、画像データの蓄積、プログラムの蓄積、フォントデータの蓄積、フォームの蓄積を行うためのストレージである。
【００６７】
ＮＣＵ３３は、外部装置（図示せず）との間の通信処理を行うものであり、ＦＣＵ３４は、公衆回線を介したファクシミリ送受信処理を行うものである。例えば、外部装置からのプリント要求を受信した場合、またはファックスを受信した場合などには、コントローラ３１により受信した画像データを印字データに変換し、一旦ＨＤＤ３２に蓄積して、画像処理部４１を経由して書込処理部４４に送ることで画像データの出力を行う。
【００６８】
復帰信号制御部３５は、操作部１０によるユーザの操作や、ＮＣＵ３３またはＦＣＵ３４が受信した印刷要求等の情報を参照し、エンジンの起動状態を表す信号を生成し、エンジン制御部２０に通知するものである。
【００６９】
具体的には、復帰信号制御部３５は、主電源オンによる起動か、または待機時に消費電力を通常より抑える省エネルギーモードからの復帰かに応じて強度（Ｈｉｇｈか、Ｌｏｗか）が異なる信号である復帰信号（以下、信号１という。）を生成する。信号１は、強度に応じて“主電源オン”または“省エネからの復帰”のいずれかが割り当てられる。
【００７０】
例えば、デフォルトの強度（例えば、Ｌｏｗ）に対応する信号１の設定を“主電源オン”に定め、主電源オンにより起動されたときは、復帰信号制御部３５の初期化処理で信号１をデフォルトの強度に設定する。これにより、主電源オンによる起動に応じた信号１を生成できる。
【００７１】
また、省エネルギーモードから復帰する場合であれば、復帰信号制御部３５は既に起動されており、ユーザによる操作やネットワーク経由の処理要求受信などの情報を取得することができるため、これらの情報の取得を条件として信号１を“省エネからの復帰”に設定することができる。
【００７２】
また、復帰信号制御部３５は、ＣＰＵ２１と信号線５１で接続され、信号線５１を介して生成した信号１をＣＰＵ２１に通知する。
【００７３】
画像処理部４１は、読取られた画像データの処理を行うものである。具体的には、画像処理部４１は、操作部１０で設定された各種処理モードに応じて、画像データのＭＴＦ補正、変倍処理、画質補正等を行った後、画像データを画像用ＲＡＭ４２、およびコントローラ３１を介してＨＤＤ３２に蓄える。
【００７４】
また、複数部のコピーを取る電子ソート機能を利用する場合、画像処理部４１は、２部目以降のコピー動作を行う時にＨＤＤ３２から画像データを画像用ＲＡＭ４２にコピーし、コピーした画像データを用いてコピー動作を行うことにより電子ソート機能を実現する。また、保存された画像データは、用紙がジャムした場合のリカバリ動作にも使用される。
【００７５】
なお、エンジン制御部２０とコントローラ３１とは画像処理部４１を介して接続され、画像処理では、画像データのみならず、制御信号、ステータス信号についても画像処理部４１を介してやり取りする。
【００７６】
画像用ＲＡＭ４２は、画像処理部４１が画像処理を行う対象となる画像データを格納する記憶部である。
【００７７】
読取処理部４３は、スキャナ（図示せず）によりスキャンされた画像データの読み取り処理を行うものである。書込処理部４４は、給紙された用紙のタイミングに応じた書込み処理を行うものである。
【００７８】
次に、このように構成された第１の実施の形態にかかる画像形成装置１００による起動制御処理について説明する。起動制御処理は、復帰信号を設定する復帰信号設定処理、復帰信号による起動処理、およびコマンドによる起動処理が並行に動作する処理であるが、以下では各処理をそれぞれ分けて説明する。
【００７９】
図２は、第１の実施の形態における復帰信号設定処理の全体の流れを示すフローチャートである。なお、復帰信号設定処理は、主電源がオンにされた場合、または、省エネルギーモードでユーザの操作等を受け付けた場合に実行される処理であり、復帰信号制御部３５により実行が制御される。
【００８０】
まず、復帰信号制御部３５は、初期化処理、または、操作部１０・ＮＣＵ３３・ＦＣＵ３４からの情報取得処理を実行する（ステップＳ２０１）。すなわち、主電源オンによる起動の場合は、復帰信号制御部３５自体の初期化が必要であるため初期化処理が実行され、既に起動済みの場合は、情報取得処理が実行される。情報取得処理では、復帰信号制御部３５は、操作部１０、ＮＵ３３、またはＦＣＵ３４が受け付けたユーザの操作要求、処理要求などの情報を取得する。
【００８１】
次に、復帰信号制御部３５は、操作部１０・ＮＣＵ３３・ＦＣＵ３４から情報を取得したか否かを判断する（ステップＳ２０２）。初期化処理の場合は、情報を取得しないため（ステップＳ２０２：ＮＯ）、信号１をデフォルトの値である“主電源オン”に設定する（ステップＳ２０３）。初期化処理では情報取得有無を判断せず、単に信号１にデフォルトの値である“主電源オン”に設定するように構成してもよい。
【００８２】
情報を取得した場合（ステップＳ２０２：ＹＥＳ）、復帰信号制御部３５は、信号１を“省エネからの復帰”に設定する（ステップＳ２０４）。
【００８３】
次に、エンジン制御部２０によって実行される、復帰信号による起動処理について説明する。図３は、第１の実施の形態における復帰信号による起動処理の全体の流れを示すフローチャートである。
【００８４】
まず、エンジン制御部２０内のＣＰＵ２１は、起動のための初期化を実行する（ステップＳ３０１）。具体的には、ＣＰＵ２１は、ＩＯ制御部２５からセンサ１１からの入力情報を取得するとともに、不揮発ＲＡＭ２４から調整値の取得などを行う。
【００８５】
次に、ＣＰＵ２１は、エラーが検出されたか否かを判断する（ステップＳ３０２）。具体的には、ＣＰＵ２１は、センサ１１から取得した入力情報から、搬送路の異常、ユニット接続異常、ドアの開閉異常などのエラーを検出する。
【００８６】
エラーが検出された場合は（ステップＳ３０２：ＹＥＳ）、復帰信号による起動処理を終了する。エラーが検出されなかった場合は（ステップＳ３０２：ＮＯ）、ＣＰＵ２１は、信号１の内容を確認する（ステップＳ３０３）。信号１は、上述の復帰信号設定処理で設定された値をＣＰＵ２１がアサートすることにより取得する。具体的には、まず、ＣＰＵ２１は、信号１が“主電源オン”に設定されているか否かを判断する（ステップＳ３０３）。
【００８７】
信号１が“主電源オン”に設定されていない場合、すなわち、“省エネからの復帰”に設定されている場合は（ステップＳ３０３：ＮＯ）、復帰信号による起動処理を終了する。この場合は、コントローラ３１の起動を待つ必要がないため、コマンドによる起動処理によって早期にエンジン起動処理を開始可能だからである。
【００８８】
信号１が“主電源オン”である場合（ステップＳ３０３：ＹＥＳ）、ＣＰＵ２１は、定着部１４の起動を開始する（ステップＳ３０４）。
【００８９】
次に、ＣＰＵ２１は、コマンドが開通済みか否かを判断し（ステップＳ３０５）、開通済みでない場合は（ステップＳ３０５：ＮＯ）、復帰信号による起動処理を終了する。なお、コマンドの開通とは、上述の初期化処理でコントローラ３１とＣＰＵ２１との間の通信を確立し、コマンドの送受信が可能となることをいう。コマンドの開通処理は、復帰信号による起動処理と並行して開始されていることを前提とする。
【００９０】
したがって、ステップＳ３０５の時点でコマンドの開通処理が完了していなければ、復帰信号による起動処理はその時点で終了し、コマンドの開通処理が完了していれば、コマンドを利用した処理を含むステップＳ３０６以降の処理を継続することを意味する。なお、コマンドの開通処理が完了しておらず、復帰信号による起動処理を終了した場合は、並行して処理されているコマンドによる起動処理（図４、後述）によって、残りの起動処理が実行される。
【００９１】
ステップＳ３０５で、コマンドが開通済みであると判断された場合は（ステップＳ３０５：ＹＥＳ）、ＣＰＵ２１は、コマンドで取得した時間から、エンジンの放置時間を算出し、予め定められた規定値と比較する（ステップＳ３０６）。
【００９２】
具体的には、ＣＰＵ２１は、コントローラ３１に対して現在の時刻の取得をコマンドにより要求し、コントローラ３１から返信された時刻と、事前に保存しておいたエンジンの前回動作完了時刻とを比較することにより、エンジンの放置時間を算出する。放置時間とは、エンジンが画像形成動作、画像調整動作を行わずに経過した時間をいう。
【００９３】
次に、ＣＰＵ２１は、算出した放置時間が規定値を超えたか否かを判断し（ステップＳ３０７）、超えた場合は（ステップＳ３０７：ＹＥＳ）、画像調整制御を開始する（ステップＳ３０８）。画像調整制御とは、画像形成装置１００が設置されている環境の温度や湿度などの変動要因が与える影響を排除し、作像部１３により形成される画像を最適化するための設定値の調整処理をいう。放置時間が規定値を超えるということは、変動要因による影響がそれだけ大きくなっており、画質低下がおきると考えられるためである。
【００９４】
ステップＳ３０７で放置時間が規定値を超えていないと判断された場合（ステップＳ３０７：ＮＯ）、または、画像調整制御を開始した後、ＣＰＵ２１は、動作あり起動を開始する（ステップＳ３０９）。動作あり起動とは、作像部１３のウォーミングアップ動作を含む起動を意味する。
【００９５】
次に、ＣＰＵ２１は、起動が完了したか否かを判断し（ステップＳ３１０）、完了していない場合は（ステップＳ３１０：ＮＯ）、判断処理に戻り処理を繰り返す。完了した場合は（ステップＳ３１０：ＹＥＳ）、復帰信号による起動処理を終了する。
【００９６】
次に、エンジン制御部２０によって実行される、コマンドによる起動処理について説明する。図４は、第１の実施の形態におけるコマンドによる起動処理の全体の流れを示すフローチャートである。
【００９７】
まず、ＣＰＵ２１は、コマンドが開通済みか否かを判断し（ステップＳ４０１）、開通済みでない場合は（ステップＳ４０１：ＮＯ）、ＣＰＵ２１は、開通済みになるまで判断を繰り返す。
【００９８】
コマンドが開通済みの場合は（ステップＳ４０１：ＹＥＳ）、ＣＰＵ２１は、エンジンコンフィグレーションおよび状態の情報を、コントローラ３１に通知する（ステップＳ４０２）。
【００９９】
次に、ＣＰＵ２１は、コマンドによる時刻取得を実行する（ステップＳ４０３）。具体的には、ＣＰＵ２１は、コントローラ３１に対して現在の時刻の取得をコマンドにより要求し、コントローラ３１から返信された時刻を取得する。
【０１００】
次に、ＣＰＵ２１は、コントローラ３１から送信されたコマンドによる起動要求を受信する（ステップＳ４０４）。続いて、ＣＰＵ２１は、受信したコマンドが、動作なしの起動要求であるか否かを判断する（ステップＳ４０５）。動作なしの起動要求とは、作像部１３を動作させず、他の部分／機能を起動させる要求を意味する。
【０１０１】
例えば、ネットワークからデータ処理要求を受信したが、要求された処理は画像データをメモリに記憶する処理であり、これに加えて印刷等の作像部１３の動作が必要な処理が付随していない状況で、動作なしの起動要求コマンドがコントローラ３１から送信される。
【０１０２】
動作なしの起動要求である場合（ステップＳ４０５：ＹＥＳ）、作像部１３の起動が不要であるため、コマンドによる起動処理を終了する。
【０１０３】
動作なしの起動要求でない場合、すなわち、動作ありの起動要求である場合（ステップＳ４０５：ＮＯ）、ＣＰＵ２１は、動作あり起動が開始済みか否かを判断する（ステップＳ４０６）。開始済みの場合（ステップＳ４０６：ＹＥＳ）、ＣＰＵ２１は、コマンドによる起動処理を終了する。
【０１０４】
開始済みでない場合は（ステップＳ４０６：ＮＯ）、ＣＰＵ２１は、コマンドで取得した時間から、エンジンの放置時間を算出し、予め定められた規定値と比較する（ステップＳ４０７）。
【０１０５】
次に、ＣＰＵ２１は、算出した放置時間が規定値を超えたか否かを判断し（ステップＳ４０８）、超えた場合は（ステップＳ４０８：ＹＥＳ）、画像調整制御を開始する（ステップＳ４０９）。
【０１０６】
放置時間が規定値を超えていないと判断された場合（ステップＳ４０８：ＮＯ）、または、画像調整制御を開始した後、ＣＰＵ２１は、動作あり起動を開始し（ステップＳ４１０）、コマンドによる起動処理を終了する。なお、定着部１４の起動が開始されていない場合には、ステップＳ４１０で作像部１３の起動とともに定着部１４の起動が開始される。
【０１０７】
次に、本実施の形態にかかる画像形成装置１００によるエンジンの起動制御処理の具体例について説明する。図５および図６は、起動制御処理で扱われる信号およびコマンドの一例を示す説明図である。
【０１０８】
図５は、主電源オンにより装置が起動された場合の信号およびコマンドの一例を表している。同図に示すように、エンジン電源をオンにし、ＣＰＵ２１のリセットが行われた後、ＣＰＵ２１は、復帰信号制御部３５により設定された信号１をリードする。
【０１０９】
この例では、信号１に“主電源オン”が設定されているため、ＣＰＵ２１は定着部１４の起動を開始する（ステップＳ３０３：ＹＥＳ、ステップＳ３０４）。
【０１１０】
その後、コマンドが開通し、動作あり起動を要求するコマンドを受信したとすると（ステップＳ４０５：ＮＯ）、ＣＰＵ２１は動作あり起動を開始する（ステップＳ４１０）。
【０１１１】
このように、従来はコントローラ３１の初期化が完了し、コントローラ３１とＣＰＵ２１との通信が確立した後に、コマンド要求により作像部１３および定着部１４の起動を開始していたのに対し、本実施の形態の手法では、信号１の受信後、ＣＰＵ２１は直ちに定着部１４の起動を開始することが可能となる。これにより、立ち上げ時間が縮小し、ユーザへの待ち時間の低減を実現することができる。
【０１１２】
図６は、省エネルギーモードからの復帰の場合の信号およびコマンドの一例を表している。同図に示すように、省エネルギーモードからの復帰によりエンジン電源がオンにされ、ＣＰＵ２１のリセットが行われた後、ＣＰＵ２１は、復帰信号制御部３５により設定された信号１をリードする。
【０１１３】
この例では、信号１に“省エネからの復帰”が設定されているため、ＣＰＵ２１は定着部１４の起動を開始しない（ステップＳ３０３：ＮＯ）。一方、コマンドが開通し、動作あり起動を要求するコマンドを受信した場合には（ステップＳ４０５：ＮＯ）、ＣＰＵ２１は、作像部１３の起動（動作あり起動）と定着部１４の起動を同時に開始する（ステップＳ４１０）。
【０１１４】
このように、省エネルギーモードからの復帰の場合は、ＣＰＵ２１とコントローラ３１との間でコマンドが早期に開通するため、ＣＰＵ２１はコマンドの受信とともにコマンドによる起動処理（図４）によりエンジンの起動を実行することができる。
【０１１５】
なお、主電源オンまたは省エネルギーモードからの復帰時に無条件で定着部１４の起動を開始することにより、上述の課題を解決する方法も考えられる。しかし、本実施の形態の手法では、信号１に基づく判断により、省エネルギーモードからの復帰の場合は定着部１４の起動を行わないようにすることができる。これにより、不要な起動処理を回避し、より適切な起動制御を行うことが可能となる。
【０１１６】
以上のように、第１の実施の形態にかかる画像形成装置は、主電源オンによる起動か、省エネルギーモードからの復帰かを表す電気信号を、コントローラから送信される起動要求の前にエンジン制御部に送信し、当該電気信号に従ってエンジンの起動を制御することができる。このため、コントローラの要求を待たずにエンジン起動を開始可能となり、立ち上げ時間が縮小し、ユーザへの待ち時間の低減を実現することができる。
【０１１７】
また、第１の実施の形態では、１本の信号線５１を追加するのみで上述の効果を得ることができるため、小型の画像形成装置などのように資源が限られる場合であっても最小限かつ低コストの構成で待ち時間の低減を実現することができる。
【０１１８】
（第２の実施の形態）
第２の実施の形態にかかる画像形成装置は、作像部の動作（ウォーミングアップ）が必要な起動か否かを表す電気信号をさらに送信し、当該電気信号に従ってエンジンの起動を制御するものである。
【０１１９】
図７は、第２の実施の形態にかかる画像形成装置７００の構成を示すブロック図である。同図に示すように、画像形成装置７００は、操作部１０と、センサ１１と、負荷１２と、作像部１３と、定着部１４と、起動制御部７１０と、を備えている。
【０１２０】
第２の実施の形態では、起動制御部７１０の機能が第１の実施の形態と異なっている。具体的には、起動制御部７１０内のエンジン制御部７２０に含まれるＣＰＵ７２１、および、起動制御部７１０内の復帰信号制御部７３５の機能が第１の実施の形態と異なっている。その他の構成および機能は、第１の実施の形態にかかる画像形成装置１００の構成を表すブロック図である図１と同様であるので、同一符号を付し、ここでの説明は省略する。
【０１２１】
復帰信号制御部７３５は、作像部１３の起動が必要な起動（動作あり起動）か、または必要でない起動（動作なし起動）かに応じて強度が異なる復帰信号（以下、信号２という。）をさらに生成する点が、第１の実施の形態にかかる復帰信号制御部３５と異なっている。信号２は、強度に応じて“動作あり起動”または“動作なし起動”のいずれかが割り当てられる。
【０１２２】
例えば、デフォルトの強度（例えば、Ｌｏｗ）に対応する信号２の設定を“動作なし起動”に定め、主電源オンにより起動されたときは、復帰信号制御部７３５の初期化処理で信号２をデフォルトの強度に設定する。
【０１２３】
また、省エネルギーモードから復帰する場合であれば、復帰信号制御部７３５は既に起動されており、ユーザによる操作やネットワーク経由の処理要求受信などの情報を取得することができるため、これらの情報を参照して、作像部１３の起動が必要な処理要求か否かを判断することにより、“動作あり起動”か、または“動作なし起動”か、を設定する。
【０１２４】
復帰信号制御部７３５は、信号１を通知する信号線５１だけでなく、信号２を通知する信号線５２によってＣＰＵ７２１に接続されている。
【０１２５】
次に、このように構成された第２の実施の形態にかかる画像形成装置７００による復帰信号設定処理について説明する。図８は、第２の実施の形態における復帰信号設定処理の全体の流れを示すフローチャートである。
【０１２６】
ステップＳ８０１からステップＳ８０４までの、信号１設定処理は、第１の実施の形態にかかる画像形成装置１００におけるステップＳ２０１からステップＳ２０４までと同様の処理なので、その説明を省略する。
【０１２７】
信号１を設定した後、復帰信号制御部７３５は、操作部１０、ＮＣＵ３３、またはＦＣＵ３４からの情報により、作像部１３の起動が必要か否かを判定する（ステップＳ８０５）。
【０１２８】
次に、復帰信号制御部７３５は、作像部１３の起動が必要か否かを判断し（ステップＳ８０６）、作像部１３の起動が必要である場合は（ステップＳ８０６：ＹＥＳ）、信号２を“動作あり起動”に設定する（ステップＳ８０７）。
【０１２９】
作像部１３の起動が必要でない場合（ステップＳ８０６：ＮＯ）、復帰信号制御部７３５は、信号２を“動作なし起動”に設定する（ステップＳ８０８）。
【０１３０】
次に、復帰信号による起動処理について説明する。図９は、第２の実施の形態における復帰信号による起動処理の全体の流れを示すフローチャートである。
【０１３１】
ステップＳ９０１からステップＳ９０２までの、初期化処理、エラー検出処理は、第１の実施の形態にかかる画像形成装置１００におけるステップＳ３０１からステップＳ３０２までと同様の処理なので、その説明を省略する。
【０１３２】
ステップＳ９０２でエラーが検出されなかった場合（ステップＳ９０２：ＮＯ）、ＣＰＵ７２１は、信号１は、“主電源オン”であるか否かを判断する（ステップＳ９０３）。信号１が“主電源オン”でなかった場合（ステップＳ９０３：ＮＯ）、ＣＰＵ７２１は、さらに信号２が“動作あり起動”であるか否かを判断する（ステップＳ９１１）。
【０１３３】
信号２が“動作あり起動”である場合は（ステップＳ９１１：ＹＥＳ）、ＣＰＵ７２１は、定着部１４の起動を開始する。
【０１３４】
ステップＳ９０５からステップＳ９１０までの、コマンド開通判定処理、画像調整制御処理、動作あり起動開始処理は、第１の実施の形態にかかる画像形成装置１００におけるステップＳ３０５からステップＳ３１０までと同様の処理なので、その説明を省略する。
【０１３５】
ステップＳ９１１で、信号２が“動作あり起動”でない場合、すなわち、“動作なし起動”である場合は（ステップＳ９１１：ＮＯ）、作像部１３および定着部１４の起動が不要であるため、復帰信号による起動処理を終了する。
【０１３６】
例えば、外部装置からエンジンの構成に関する情報や、調整値、パーツの寿命に関するカウント値などの設定情報を取得する場合などが“省エネからの復帰”かつ“動作なし起動”に相当する。
【０１３７】
なお、本実施の形態では、信号１および信号２を用いた例について説明したが、信号１を用いずに信号２のみを利用するように構成してもよい。この場合は、ステップＳ９０３の代わりにステップＳ９１１の信号２の判定処理を実行し、その結果に応じて定着部１４の起動を開始するか、処理を終了するかを判断する。
【０１３８】
このように、第２の実施の形態では、信号２を参照することにより、作像部１３の起動が必要か否かを判断することができるため、省エネルギーモードの場合であっても定着部１４の起動を早期に開始することができる。これにより、立ち上げ時間が縮小し、ユーザへの待ち時間の低減を実現することができる。
【０１３９】
なお、第２の実施の形態におけるコマンドによる起動処理は、第１の実施の形態における図４に示したフローチャートと同様であるのでその説明を省略する。
【０１４０】
次に、本実施の形態にかかる画像形成装置７００によるエンジンの起動制御処理の具体例について説明する。図１０および図１１は、起動制御処理で扱われる信号およびコマンドの一例を示す説明図である。
【０１４１】
図１０は、省エネルギーモードからの復帰の場合の信号およびコマンドの一例を表している。同図に示すように、省エネルギーモードからの復帰によりエンジン電源がオンにされ、ＣＰＵ７２１のリセットが行われた後、ＣＰＵ７２１は、復帰信号制御部７３５により設定された信号１および信号２をリードする。
【０１４２】
この例では、信号１に“省エネからの復帰”が設定されているため、ＣＰＵ７２１はさらに信号２の判定を行う（ステップＳ９０３：ＮＯ、ステップＳ９１１）。そして、この例では信号２に“動作あり起動”が設定されているため、定着部１４の起動が開始される（ステップＳ９１１：ＹＥＳ、ステップＳ９０４）。
【０１４３】
その後、コマンドが開通し、動作あり起動を要求するコマンドを受信したとすると（ステップＳ４０５：ＮＯ）、ＣＰＵ７２１は動作あり起動を開始する（ステップＳ４１０）。
【０１４４】
このように、省エネルギーモードからの復帰の場合であっても、ＣＰＵ７２１は信号２の設定を判定することにより、定着部１４の起動を早期に開始することができる。
【０１４５】
図１１は、主電源オンまたは省エネルギーモードからの復帰であって、動作なし起動の場合の信号およびコマンドの一例を表している。例えば、印刷を必要としないがエンジンを省エネルギーモードから復帰する場合は、信号１は“省エネからの復帰”、信号２は“動作なし起動”となり、図１１の例に該当する。
【０１４６】
同図に示すように、エンジン電源がオンにされ、ＣＰＵ７２１のリセットが行われた後、ＣＰＵ７２１は、復帰信号制御部７３５により設定された信号１および信号２をリードする。
【０１４７】
この例では、信号２に“動作なし起動”が設定されているため、定着部１４の起動を行わずに処理を終了する（ステップＳ９１１：ＮＯ）。
【０１４８】
その後、コマンドが開通し、動作なし起動を要求するコマンドを受信したとすると（ステップＳ４０５：ＹＥＳ）、作像部１３および定着部１４の起動が不要であるため、両者の起動は行わない。
【０１４９】
このように、信号２を参照して動作を伴う起動の要否を判断できるため、不要な起動処理の開始を回避することが可能となる。
【０１５０】
次に、第２の実施の形態の変形例について説明する。第２の実施の形態では、第１の実施の形態と同様に、主電源オンによる起動のときはコマンドの開通を待って作像部１３の起動を開始している（ステップＳ９０９、ステップＳ３０９）。
【０１５１】
これは、主電源オンによる起動の場合、コマンドの開通後にコマンドによる時刻取得を実行しなければ放置時間を算出できず、放置時間に基づく画像調整制御の要否判断ができないためである。これに対し、本変形例では、画像調整制御動作を除いた作像部１３の起動処理を早期に開始し、コマンドが開通後に放置時間を算出して画像調整制御の要否を判断する。
【０１５２】
図１２は、第２の実施の形態の変形例における復帰信号による起動処理の全体の流れを示すフローチャートである。
【０１５３】
ステップＳ１２０１からステップＳ１２０３、およびステップＳ１２１０までの、初期化処理、エラー検出処理、信号判定処理は、図９のステップＳ９０１からステップＳ９０３、およびステップＳ９１１までと同様の処理なので、その説明を省略する。
【０１５４】
本変形例では、信号１が“主電源オン”の場合（ステップＳ１２０３：ＹＥＳ）、または信号２が“動作あり起動”の場合（ステップＳ１２１０：ＹＥＳ）、定着部１４だけでなく、作像部１３も起動する点が、図９と異なっている。
【０１５５】
ステップＳ１２０５からステップＳ１２０８までの、コマンド開通判定処理、画像調整制御処理は、図９のステップＳ９０５からステップＳ９０８までと同様の処理なので、その説明を省略する。
【０１５６】
本変形例では、既に作像部１３の起動を開始しているため、動作あり起動の開始処理を実行しない点が第２の実施の形態と異なっている（図９のステップＳ９０９を削除）。
【０１５７】
次に、本変形例におけるエンジンの起動制御処理の具体例について説明する。図１３は、起動制御処理で扱われる信号およびコマンドの一例を示す説明図である。
【０１５８】
この例では、信号１に“主電源オン”が設定されているため、ＣＰＵ７２１は定着部１４の起動とともに、作像部１３の起動を開始する（ステップＳ１２０３：ＹＥＳ、ステップＳ１２０４）。
【０１５９】
その後、コマンドが開通し、動作あり起動を要求するコマンドを受信したとすると（ステップＳ４０５：ＮＯ）、ＣＰＵ７２１は動作あり起動を開始する（ステップＳ４１０）。この際、放置時間の判定により画像調整制御動作が必要であると判断されたとすると、その時点から画像調整制御動作を開始する。
【０１６０】
このように、本変形例によれば、画像調整制御動作の開始が遅れるために作像部１３全体の起動開始が遅れることを回避することができるため、立ち上げ時間が縮小し、ユーザへの待ち時間の低減を実現することができる。
【０１６１】
以上ように、第２の実施の形態にかかる画像形成装置は、作像部の動作が必要な起動か否かを表す電気信号をさらに送信し、当該電気信号に従ってエンジンの起動を制御することができる。このため、コントローラの要求を待たずに作像部の動作を開始できるため、立ち上げ時間が縮小し、ユーザへの待ち時間の低減を実現することができる。
【０１６２】
（第３の実施の形態）
第３の実施の形態にかかる画像形成装置は、エンジンの放置時間が所定の閾値を超えたか否かを表す電気信号をさらに送信し、当該電気信号に従ってエンジンの起動を制御するものである。
【０１６３】
図１４は、第３の実施の形態にかかる画像形成装置１４００の構成を示すブロック図である。同図に示すように、画像形成装置１４００は、操作部１０と、センサ１１と、負荷１２と、作像部１３と、定着部１４と、起動制御部１４１０と、を備えている。
【０１６４】
第２の実施の形態では、起動制御部１４１０の機能が第２の実施の形態と異なっている。具体的には、起動制御部１４１０内のエンジン制御部１４２０に含まれるＣＰＵ１４２１、および、起動制御部１４１０内の復帰信号制御部１４３５の機能が第１の実施の形態と異なっている。その他の構成および機能は、第２の実施の形態にかかる画像形成装置７００の構成を表すブロック図である図７と同様であるので、同一符号を付し、ここでの説明は省略する。
【０１６５】
復帰信号制御部１４３５は、エンジンの放置時間が予め定められた規定値を超えたか否かに応じて強度が異なる復帰信号（以下、信号３という。）をさらに生成する点が、第２の実施の形態にかかる復帰信号制御部７３５と異なっている。
【０１６６】
復帰信号制御部１４３５は、プリント処理、ＦＡＸ受信処理などの動作が終了した時刻を記憶部（図示せず）に保存し、省エネルギーモードから復帰したときに、復帰した時刻と保存した時刻との差から放置時間を算出する。そして、復帰信号制御部１４３５は、算出した放置時間と、予め定められた規定値とを比較することにより、放置時間が規定値を超えたか否かを判断する。
【０１６７】
復帰信号制御部１４３５は、信号１および信号２を通知する信号線５１および信号線５２だけでなく、信号３を通知する信号線５３によってＣＰＵ１４２１に接続されている。
【０１６８】
次に、このように構成された第３の実施の形態にかかる画像形成装置１４００による復帰信号設定処理について説明する。図１５は、第３の実施の形態における復帰信号設定処理の全体の流れを示すフローチャートである。
【０１６９】
ステップＳ１５０１からステップＳ１５０８までの、信号１設定処理、信号２設定処理は、第２の実施の形態にかかる画像形成装置７００におけるステップＳ８０１からステップＳ８０８までと同様の処理なので、その説明を省略する。
【０１７０】
信号２を設定した後、復帰信号制御部１４３５は、エンジンの放置時間を算出する（ステップＳ１５０９）。具体的には、復帰信号制御部１４３５は、事前に保存したエンジン動作完了時の時刻と、現在の時刻との差を求めることにより放置時間を算出する。
【０１７１】
次に、復帰信号制御部１４３５は、放置時間が予め定められた規定値を超えたか否かを判断する（ステップＳ１５１０）。超えている場合は（ステップＳ１５１０：ＹＥＳ）、復帰信号制御部１４３５は、信号３を“規定値を超えた”に設定する（ステップＳ１５１１）。超えていない場合は（ステップＳ１５１０：ＮＯ）、復帰信号制御部１４３５は、信号３を“規定値を超えていない”に設定する（ステップＳ１５１２）。
【０１７２】
なお、主電源オンの場合、事前に保存したエンジン動作完了時の時刻が存在しないため、復帰信号制御部１４３５は放置時間を算出できない。この場合は、信号３には“規定値を超えていない”を設定し、放置時間の判定はコマンド開通後に行う（ステップＳ４０７）。
【０１７３】
次に、復帰信号による起動処理について説明する。図１６は、第３の実施の形態における復帰信号による起動処理の全体の流れを示すフローチャートである。
【０１７４】
ステップＳ１６０１からステップＳ１６１０までの、初期化処理、エラー検出処理、コマンド開通判定処理、画像調整制御処理、動作あり起動開始処理は、図９のステップＳ９０１からステップＳ９１０までと同様の処理なので、その説明を省略する。
【０１７５】
信号１が“主電源オン”でないと判断された場合（ステップＳ１６０３：ＮＯ）、ＣＰＵ１４２１は、さらに信号２が“動作あり起動”であるか否かを判断する（ステップＳ１６１１）。
【０１７６】
信号２が“動作あり起動”である場合は（ステップＳ１６１１）、ＣＰＵ１４２１は、定着部１４の起動を開始する（ステップＳ１６１２）。次に、ＣＰＵ１４２１は、信号３が“規定値を超えた”であるか否かを判断し（ステップＳ１６１３）、信号３が“規定値を超えた”である場合は（ステップＳ１６１３：ＹＥＳ）、画像調整制御を開始する（ステップＳ１６０８）。
【０１７７】
信号３が“規定値を超えた”でない場合、すなわち、“規定値を超えていない”である場合は（ステップＳ１６１３：ＮＯ）、動作あり起動を開始する（ステップＳ１６０９）。
【０１７８】
ステップＳ１６１１で、信号２が“動作あり起動”でないと判断された場合は（ステップＳ１６１１：ＮＯ）、復帰信号による起動処理を終了する。
【０１７９】
なお、第３の実施の形態におけるコマンドによる起動処理は、第１の実施の形態における図４に示したフローチャートと同様であるのでその説明を省略する。
【０１８０】
次に、本実施の形態にかかる画像形成装置１４００によるエンジンの起動制御処理の具体例について説明する。図１７および図１８は、起動制御処理で扱われる信号およびコマンドの一例を示す説明図である。
【０１８１】
図１７は、省エネルギーモードからの復帰であって、エンジンの放置時間が規定値を超えた場合の信号およびコマンドの一例を表している。
【０１８２】
例えば、操作部１０によって受け付けられたユーザによるボタンの操作やカバーオープンなどの人為的操作、印刷要求、またはＦＡＸ受信要求などを受けて省エネルギーモードから復帰する場合、信号１は“省エネからの復帰”、信号２は“動作あり起動”となり、放置時間が規定値を超えていれば信号３は“規定値を超えた”となるため、図１７の例に該当する。
【０１８３】
同図に示すように、エンジン電源をオンにし、ＣＰＵ１４２１のリセットが行われた後、ＣＰＵ１４２１は、復帰信号制御部１４３５により設定された信号１〜信号３をリードする。
【０１８４】
この例では、信号１に“省エネからの復帰”が設定され、信号２に“動作あり起動”が設定され、信号３に“規定値を超えた”が設定されているため、ＣＰＵ１４２１は定着部１４の起動を開始するとともに（ステップＳ１５０３：ＹＥＳ、ステップＳ１５１１：ＹＥＳ、ステップＳ１５１２）、画像調整制御を開始する（ステップＳ１５１３：ＹＥＳ、ステップＳ１５０８）。
【０１８５】
このように、本実施の形態では、放置時間に関する信号３を参照して画像調整制御の要否を判断することができるため、コマンドの開通を待って時間を取得する必要がなくなり、早期に作像部１３の起動を開始することが可能となる。これにより、立ち上げ時間が縮小し、ユーザへの待ち時間の低減を実現することができる。
【０１８６】
図１８は、省エネルギーモードからの復帰であって、エンジンの放置時間が規定値を超えていない場合の信号およびコマンドの一例を表している。同図に示すように、エンジン電源をオンにし、ＣＰＵ１４２１のリセットが行われた後、ＣＰＵ１４２１は、復帰信号制御部１４３５により設定された信号１〜信号３をリードする。
【０１８７】
この例では、信号１に“省エネからの復帰”が設定され、信号２に“動作あり起動”が設定され、信号３に“規定値を超えていない”が設定されているため、ＣＰＵ１４２１は定着部１４の起動を開始するとともに（ステップＳ１５０３：ＹＥＳ、ステップＳ１５１１：ＹＥＳ、ステップＳ１５１２）、画像調整制御を開始せずに動作あり起動を開始する（ステップＳ１５１３：ＮＯ、ステップＳ１５０９）。
【０１８８】
このように、放置時間に関する信号３を参照して画像調整制御の要否を判断することができるため、無用に画像調整制御を実行することがなく、適切に作像部１３の起動を実行することが可能となる。
【０１８９】
次に、本実施の形態にかかる画像形成装置１４００によるエンジンの起動制御処理の別の例について説明する。図１９および図２０は、起動制御処理で扱われる信号およびコマンドの別の一例を示す説明図である。図１９および図２０は、起動開始後に、起動種別（動作あり起動か、動作なし起動かなど）が変更された場合の起動制御処理の例を表した例である。
【０１９０】
図１９は、復帰信号による起動の要求と、コマンドによる起動の要求が異なる場合の例を表す。具体的には、信号２では“動作なし起動”が設定されていたため、作像部１３および定着部１４の起動を実行しなかったが、コマンド開通後に受信したコマンドの起動要求では、動作あり起動が要求された場合の例が示されている。
【０１９１】
この場合は、後に要求されたコマンドの要求に従って動作あり起動（作像部１３の起動、定着部１４の起動）を開始する。
【０１９２】
図２０は、復帰信号による起動の要求の後に、さらに復帰信号による起動の要求が送信された場合の例を表す。具体的には、最初に受信した信号２では“動作なし起動”が設定されていたため、作像部１３および定着部１４の起動を実行しなかったが、その後“動作あり起動”が設定された信号２を受信した場合の例が示されている。
【０１９３】
例えば、ネットワーク経由で画像形成装置１４００の起動要求を受信したが、実行される処理が不明であったため、信号２には“動作なし起動”が設定され、その後、実行される処理が例えば印刷であることが判明し作像部１３の起動が必要になった場合などがこの例に該当する。
【０１９４】
この場合は、後に要求された信号２の要求に従って動作あり起動（作像部１３の起動、定着部１４の起動）を開始する。このように、コマンドを用いずに復帰信号を参照することにより、状況に応じた適切な起動制御処理を実現することが可能となる。
【０１９５】
なお、本実施の形態では、上述のように、原則として復帰信号である信号１、信号２、信号３に基づいて機動制御を行い、その後コマンドによる起動要求を受信したときにコマンドに基づいて起動制御を行う構成となっている。
【０１９６】
このような構成では、例えば、復帰信号による起動制御により定着部１４の起動を開始した後、ＦＡＸを受信してＨＤＤに保存するだけの処理であることが判明した場合、定着部１４の起動を中止するといった状況が生じうる。このため、夜間にＦＡＸを受信した場合であれば、無駄な定着部１４の起動により騒音発生などの弊害が生じる可能性がある。
【０１９７】
このような問題を回避するため、復帰信号による起動制御と、コマンドによる起動制御とのいずれかを優先するかをユーザが設定可能とし、設定に応じていずれかの起動制御方法を適用するように構成してもよい。
【０１９８】
設定は、操作部１０によってユーザにより入力された設定情報を受け付ける方法や、ネットワークで接続された外部装置からユーザが入力した設定情報を、ＮＣＵ３３を介して受け付ける方法など、従来から用いられているあらゆる方法を適用できる。
【０１９９】
以上ように、第３の実施の形態にかかる画像形成装置は、エンジンの放置時間が所定の閾値を超えたか否かを表す電気信号をさらに送信し、当該電気信号に従ってエンジンの起動を制御することができる。このため、コントローラの要求を待たずに画像調整処理を開始できるため、立ち上げ時間が縮小し、ユーザへの待ち時間の低減を実現することができる。
【０２００】
第１〜第３の実施の形態では、起動状態を通知するために、信号線５１、信号線５２、信号線５３を用いて電気信号（信号１、信号２、信号３）を送信していた。起動状態の通知方法はこれに限られるものではなく、ＰＣＩバスなどの従来から用いられているあらゆる通知方法を適用できる。この場合は、コントローラ３１とＣＰＵとの間のバスによるコマンドの通知よりも優先して起動状態の通知を実行するように構成する。これにより、コントローラの要求を待たずにエンジン起動を開始可能となり、立ち上げ時間の縮小を実現することができる。
【産業上の利用可能性】
【０２０１】
以上のように、本発明にかかる起動制御装置、起動制御方法および画像形成装置は、省エネルギー制御を行う複合機に適している。
【図面の簡単な説明】
【０２０２】
【図１】第１の実施の形態にかかる画像形成装置の構成を示すブロック図である。
【図２】第１の実施の形態における復帰信号設定処理の全体の流れを示すフローチャートである。
【図３】第１の実施の形態における復帰信号による起動処理の全体の流れを示すフローチャートである。
【図４】第１の実施の形態におけるコマンドによる起動処理の全体の流れを示すフローチャートである。
【図５】起動制御処理で扱われる信号およびコマンドの一例を示す説明図である。
【図６】起動制御処理で扱われる信号およびコマンドの一例を示す説明図である。
【図７】第２の実施の形態にかかる画像形成装置の構成を示すブロック図である。
【図８】第２の実施の形態における復帰信号設定処理の全体の流れを示すフローチャートである。
【図９】第２の実施の形態における復帰信号による起動処理の全体の流れを示すフローチャートである。
【図１０】起動制御処理で扱われる信号およびコマンドの一例を示す説明図である。
【図１１】起動制御処理で扱われる信号およびコマンドの一例を示す説明図である。
【図１２】第２の実施の形態の変形例における復帰信号による起動処理の全体の流れを示すフローチャートである。
【図１３】起動制御処理で扱われる信号およびコマンドの一例を示す説明図である。
【図１４】第３の実施の形態にかかる画像形成装置の構成を示すブロック図である。
【図１５】第３の実施の形態における復帰信号設定処理の全体の流れを示すフローチャートである。
【図１６】第３の実施の形態における復帰信号による起動処理の全体の流れを示すフローチャートである。
【図１７】起動制御処理で扱われる信号およびコマンドの一例を示す説明図である。
【図１８】起動制御処理で扱われる信号およびコマンドの一例を示す説明図である。
【図１９】起動制御処理で扱われる信号およびコマンドの別の一例を示す説明図である。
【図２０】起動制御処理で扱われる信号およびコマンドの別の一例を示す説明図である。
【符号の説明】
【０２０３】
１０  操作部
１１  センサ
１２  負荷
１３  作像部
１４  定着部
２０  エンジン制御部
２１  ＣＰＵ
２２  ＲＯＭ
２３  ＲＡＭ
２４  不揮発ＲＡＭ
２５  ＩＯ制御部
３１  コントローラ
３２  ＨＤＤ
３３  ＮＣＵ
３４  ＦＣＵ
３５  復帰信号制御部
４１  画像処理部
４２  画像用ＲＡＭ
４３  読取処理部
４４  書込処理部
５１、５２、５３  信号線
１００  画像形成装置
１１０  起動制御部
７００  画像形成装置
７１０  起動制御部
７２０  エンジン制御部
７２１  ＣＰＵ
７３５  復帰信号制御部
１４００  画像形成装置
１４１０  起動制御部
１４２０  エンジン制御部
１４２１  ＣＰＵ
１４３５  復帰信号制御部
【図１】
2007301765.tif 000003
【図２】
2007301765.tif 000004
【図３】
2007301765.tif 000005
【図４】
2007301765.tif 000006
【図５】
2007301765.tif 000007
【図６】
2007301765.tif 000008
【図７】
2007301765.tif 000009
【図８】
2007301765.tif 000010
【図９】
2007301765.tif 000011
【図１０】
2007301765.tif 000012
【図１１】
2007301765.tif 000013
【図１２】
2007301765.tif 000014
【図１３】
2007301765.tif 000015
【図１４】
2007301765.tif 000016
【図１５】
2007301765.tif 000017
【図１６】
2007301765.tif 000018
【図１７】
2007301765.tif 000019
【図１８】
2007301765.tif 000020
【図１９】
2007301765.tif 000021
【図２０】
2007301765.tif 000022